(57)【特許請求の範囲】
【請求項１】
使用者の両眼の外周縁全体に当接する眼部外周縁当接部と、使用者の頸部から上の頭部に装着するための装着部を有し、前記装着部として、使用者の耳に掛けるための耳掛部を含むことを特徴とするゴーグル汚損防止シート。
【請求項２】
前記装着部として、使用者の顔面に接着するための粘着部を含むことを特徴とする請求項１に記載のゴーグル汚損防止シート。
【請求項３】
使用者の両眼の外周縁に当接する眼部外周縁当接部と、使用者の頸部から上の頭部に装着するための装着部を有し、前記装着部として、使用者の顔面に接着するための粘着部を含むことを特徴とするゴーグル汚損防止シート。
【請求項４】
前記装着部として、使用者の後頭部ないし頭頂部に回して装着するためのストラップを含むことを特徴とする請求項１から３のいずれかに記載のゴーグル汚損防止シート。
【請求項５】
前記眼部外周縁当接部が不織布で構成されていることを特徴とする請求項１〜４のいずれか一項に記載のゴーグル汚損防止シート。
【請求項６】
使用者の視界を確保する抜穴部を有することを特徴とする請求項１〜５のいずれか一項に記載のゴーグル汚損防止シート。
【請求項７】
ヘッドマウントディスプレイ(ＨＭＤ)と使用者の顔部で前記眼部外周縁当接部の少なくとも一部を挟み込んで使用することを特徴とする請求項１〜６のいずれか一項に記載のゴーグル汚損防止シート。
【発明の詳細な説明】
【技術分野】
【０００１】
本発明は、ゴーグル汚損防止シートに関するものである。本発明のゴーグル汚損防止シートは、主に、ヘッドマウントディスプレイ(ＨＭＤ)のような表示装置に用いられるゴーグルの顔面への装着面と顔面の間に挟み込むためのものである。また、それ以外の視力測定装置、眼振計、スキー用や作業用のゴーグルなど、各種の顔面に装着するものと顔面の間に挟み込んで用いることもできる。
【背景技術】
【０００２】
使用者の頭部に装着して画像を観察するヘッドマウントディスプレイ(ＨＭＤ)としては、例えば、図４に記載されるようなものが知られている。
図４に記載されるヘッドマウントディスプレイ(ＨＭＤ)は、クッションパッド４１を使用者の眼の周囲に当てた形で、ストラップ４２，４３で使用者の頭部に固定する形となっている。
【０００３】
このような形で使用者の頭部に装着されるヘッドマウントディスプレイ(ＨＭＤ)のクッションパッド４１は、ヘッドマウントディスプレイ(ＨＭＤ)と使用者の顔面の位置関係を規定するとともに、外部からの光の侵入を防ぐためのものであって、ウレタンスポンジのような柔らかい材料で構成されている。しかし、このクッションパッド４１は顔面に密着するために、顔面から分泌される汗等の体液や、化粧品、整髪料等によって汚損されるという問題があった。
【０００４】
このような問題に対して、ヘッドマウントディスプレイ(ＨＭＤ)の使用の前後に、クッションパッド４１の顔に当接する部分をアルコール等で清拭することが良くおこなわれているが、ウレタンスポンジのような多孔質の部材が汗等の体液や、化粧品、整髪料等で汚損されている場合には、それを完全に取り除くことは簡単ではない。そこで、あらかじめ、クッションパッド４１の汚損を防ぎ、アルコール等での清拭を省くためとして、特許文献１では、クッションパッド４１に張り付ける形で取換可能なゴーグル装着部交換シートが提案されている。特許文献１で提案されるゴーグル装着部交換シートを図５に示す。
【０００５】
図５に記載されるゴーグル装着部交換シート５１は、眼部外周縁当接部５２、抜穴部５３、鼻当接部５４を有する不織布で形成されている。眼部外周縁当接部５２は全体としてアイマスクのような外縁形状をしている。抜穴部５３は眼部を挿通させる形状をしており使用者の視界を確保している。眼部外周縁当接部５２と鼻当接部５４の間には切り込みが形成され、鼻当接部５４は装着時に鼻梁及びその両端部を覆うような形状に形成されている。ゴーグル装着部交換シート５１は、クッションパッド４１で用いられるウレタンスポンジと眼部外周縁当接部５２の不織布の繊維が絡み合ったり、クッションパッド４１に眼部外周縁当接部５２を両面テープのような粘着素材で張り付けることによって、ヘッドマウントディスプレイ(ＨＭＤ)に装着されるため、クッションパッド４１からゴーグル装着部交換シート５１を簡単に剥がすことができ、容易に交換し、ヘッドマウントディスプレイ(ＨＭＤ)を清潔に保つことができる。
同様に、ヘッドマウントディスプレイ(ＨＭＤ)の汚損を避けるものとしては、特許文献２，３に提案されるようなものや、非特許文献１〜３に記載されるものが知られている。
【先行技術文献】
【特許文献】
【０００６】
【特許文献１】特許第３９５１９８５号公報
【特許文献２】特開平７-１８１４２２号公報
【特許文献３】特開平１１−０３８３５０号公報
【非特許文献】
【０００７】
【非特許文献１】Ｏｃｕｌｕｓ  Ｒｉｆｔ用フェイスペーパー、Ｏｃｕｌｕｓ  Ｒｉｆｔ用フェイスレザー、http://wizapply.com/products/
【非特許文献２】ＨＭＤスポンジ保護シート, http://www.tfabworks.com/?page_id=16/
【非特許文献３】ＤＫ１／ＤＫ２  ＶＲ  Ｃｏｖｅｒ, http://vrcover.com/product/vr-cover/
【発明の概要】
【発明が解決しようとする課題】
【０００８】
しかしながら、特許文献１に記載されるゴーグル装着部交換シート５１も、また、特許文献２，３、非特許文献１〜３に記載されるもののいずれも、ヘッドマウントディスプレイ(ＨＭＤ)に装着されるものである。これらにおいて、ヘッドマウントディスプレイ(ＨＭＤ)側の取付箇所は、使用者の顔に当接する部分であって、この部分は、クッションパッド４１のように、ウレタンスポンジのような柔らかな材料で構成されているため、ゴーグル装着部交換シート等を取り換えるときに、このクッションパッド４１が破損することがあるという問題がある。
【０００９】
更に、このようなヘッドマウントディスプレイ(ＨＭＤ)を、ゲームセンターや展示会などのように短時間に多数の者が利用することを考えると、使用者が交代するたびに、クッションパッド４１の顔に当接する部分をアルコール等で清拭したり、クッションパッド４１に相当する部分が破損しないように注意しつつ、特許文献１に記載されるようなゴーグル装着部交換シート５１を取り換えたりすることには時間も手間もかかるため、ヘッドマウントディスプレイ(ＨＭＤ)を短時間に多数の者に体験してもらうことが難しいという問題がある。
【課題を解決するための手段】
【００１０】
本発明のゴーグル汚損防止シートは、ヘッドマウントディスプレイ(ＨＭＤ)の使用者の頸部から上の頭部に装着する装着部を有するものであって、ゴーグル装着部シートをあらかじめ使用者に装着し、ヘッドマウントディスプレイ(ＨＭＤ)と使用者の顔部でゴーグル汚損防止シートを挟み込むような形で用いるものである。
【発明の効果】
【００１１】
本発明のゴーグル汚損防止シートは、使用者の顔面から分泌される汗等の体液や、化粧品、整髪料等によって、ヘッドマウントディスプレイ(ＨＭＤ)が汚損されることを防ぎつつ、ゴーグル汚損防止シートを交換するときに、ヘッドマウントディスプレイ(ＨＭＤ)が破損することを回避し、更に、ヘッドマウントディスプレイ(ＨＭＤ)を短時間により多数の者に体験してもらうことを可能とするものである。
【図面の簡単な説明】
【００１２】
【図１】本発明の実施例１のゴーグル汚損防止シートの模式図である。
【図２】本発明の実施例２のゴーグル汚損防止シートの模式図である。
【図３】本発明の実施例３のゴーグル汚損防止シートの模式図である。
【図４】ヘッドマウントディスプレイ(ＨＭＤ)
【図５】従来のゴーグル装着部交換シート
【発明を実施するための形態】
【実施例１】
【００１３】
図１に、本発明の実施例１のゴーグル汚損防止シートを示す。図１に示すゴーグル汚損防止シート１１は、図５に示した従来のゴーグル装着部交換シート５１と同様に、全体としてアイマスクのような外縁形状を有し、使用者の両眼の外周縁に当接する眼部外周縁当接部１２、眼部を挿通させる形状を有し使用者の視界を確保する抜穴部１３を有している。抜穴部１３の形状は、眼部を挿通させる形状をしており使用者の視界を確保することができるのであれば、図１に示されたような略長方形の形状でも、図５に示されるような左眼、右眼が独立した２穴の形状でも、その他の形状のいずれでもよい。図１に示すゴーグル汚損防止シート１１は、従来のゴーグル装着部交換シート５１の鼻当接部５４に相当する部分を有していないが、鼻当接部５４に相当する部分を設けてもよい。
【００１４】
なお、眼部外周縁当接部１２は、使用者の両眼の外周縁全体に当接する形状である必要はない。すなわち、適用するヘッドマウントディスプレイ(ＨＭＤ)のクッションパッド４１が、図４に記載されるような使用者の眼部の周囲を囲むような形状のものではなく、眼部の上方ないし下方のいずれか一方のみ、鼻梁の上のみ、又は、眼部と耳部の間の顔の縁の部分のみなどの形状であれば、眼部外周縁当接部１２は、クッションパッド４１に対応する部分のみだけが存在すればよい。このように、眼部外周縁当接部１２が眼部の上方ないし下方のいずれか一方のみに存在するような場合には、その結果として、抜穴部１３を欠く形状のゴーグル汚損防止シート１１となる。
【００１５】
これに対し、適用するヘッドマウントディスプレイ(ＨＭＤ)のクッションパッド４１が、眼部の上方ないし下方のいずれか一方のみの形状であっても、図１に記載されるような、眼部外周縁当接部１２が使用者の両眼の外周縁全体に当接する形状のゴーグル汚損防止シート１１を用いてもよい。
【００１６】
眼部外周縁当接部１２は不織布、皮革、紙、一般的な布等、汗等の体液や、化粧品、整髪料等でヘッドマウントディスプレイ(ＨＭＤ)が汚損することを防ぐことができる材料で構成されている。眼部外周縁当接部１２の顔面に接触する面を汗等の体液を吸収するような材料としクッションパッド４１と接触する面を汗等の体液を通さない材料とすること、また、反対に、使用者の顔面の化粧が落ちることを防ぐために、眼部外周縁当接部１２の顔面に接触する面を化粧品をはじく材料とすることは有効である。更に、ヘッドマウントディスプレイ(ＨＭＤ)の装着した部分の温度や湿度が高くなり発汗することを避けるために、眼部外周縁当接部１２に、清涼感を感じさせる薬品、発汗を抑制する薬品を添加したり、ジェル状の保冷剤や冷却剤を挟み込んだりすることも有効である。
【００１７】
通常のヘッドマウントディスプレイ(ＨＭＤ)は、顔に当接する部分に、クッションパッド４１としてウレタンスポンジのような柔らかい材料が設けられているので、眼部外周縁当接部１２自体を特に厚みを有しクッション性を有する材料で構成する必要はない。しかしながら、顔に当接する部分がウレタンスポンジのような柔らかい材料ではないヘッドマウントディスプレイ(ＨＭＤ)に、本発明のゴーグル汚損防止シート１１を適用する場合には、眼部外周縁当接部１２にある程度の厚みとクッション性を持たせるような材料で構成するとよい。
【００１８】
本発明の実施例１のゴーグル汚損防止シート１１と、従来のゴーグル装着部交換シート５１の相違点は、使用者の頸部から上の頭部に装着する装着部である耳掛部１４をゴーグル汚損防止シート１１の左右に有することである。この耳掛部１４を、一般的なサージカルマスクと同様に耳に掛けることによって、ゴーグル汚損防止シート１１を使用者の頸部から上の頭部に装着することができる。この耳掛部１４は、一般的なサージカルマスクと同様に伸縮性のある材料で構成することが望ましい。具体的には、眼部外周縁当接部１２と耳掛部１４を別体で構成し、それぞれ適切な材料を用いるように構成しても、ゴーグル汚損防止シート１１全体を一体として伸縮性のある材料で構成してもよく、この点は、一般的なサージカルマスクと同様である。また、この耳掛部１４を、眼鏡のテンプル(つる)と同様の構造としてもよい。
【００１９】
本発明の実施例１のゴーグル汚損防止シート１１をヘッドマウントディスプレイ(ＨＭＤ)と組み合わせて使用する使用者は、ヘッドマウントディスプレイ(ＨＭＤ)を装着する前に、耳掛部１４を利用してゴーグル汚損防止シート１１を頭部に装着し、その後、ヘッドマウントディスプレイ(ＨＭＤ)のクッションパッド４１と使用者の顔部で、眼部外周縁当接部１２を挟み込むような状態で、ヘッドマウントディスプレイ(ＨＭＤ)を頭部に装着する。
【実施例２】
【００２０】
図２に、本発明の実施例２のゴーグル装着部交換シートを示す。実施例２のゴーグル汚損防止シート２１と、実施例１のゴーグル汚損防止シート１１との相違点は、実施例１のゴーグル汚損防止シート１１は、その左右に耳掛部１４を有しているのに対し、実施例２のゴーグル汚損防止シート２１は、その左右に使用者の頸部から上の頭部に装着する装着部であるストラップ２４を有している点である。ストラップ２４以外は、実施例２のゴーグル汚損防止シート２１は、実施例１のゴーグル汚損防止シート１１と同様の構成をしている。
【００２１】
一般的なサージカルマスクでもよく知られているように、耳掛部１４を長時間耳に掛けることによって、使用者は耳に違和感を感じることがあるが、実施例２のゴーグル汚損防止シート２１はストラップ２４を有し、ストラップ２４を後頭部ないし頭頂部に回して、ゴーグル汚損防止シート２１を頭部に装着することによって、そのような違和感を避けることができる。なお、ゴーグル汚損防止シート２１をより確実に頭部に装着することを考えるのであれば、使用者の頸部から上の頭部に装着する装着部として、実施例１に記載されるような耳掛部１４と実施例２４に記載されるようなストラップ２４の双方を、ゴーグル汚損防止シート２１に設けてもよい。
【００２２】
図２に示したように、ストラップ２４は、ゴーグル汚損防止シート２１の左右に別体として設けた紐状ないしテープ状のものでも、左右のストラップ２４を連結した形とし、ゴーグル汚損防止シート２１全体として輪の形としてもよい。ストラップ２４をゴーグル汚損防止シート２１の左右に別体として設けた場合には、装着時に左右のストラップ２４を後頭部ないし頭頂部で連結する必要があるので、ストラップ２４の端部に連結具を設けてもよい。
【００２３】
本発明の実施例２のゴーグル汚損防止シート２１をヘッドマウントディスプレイ(ＨＭＤ)と組み合わせて使用する使用者は、ヘッドマウントディスプレイ(ＨＭＤ)を装着する前に、ストラップ２４を利用してゴーグル汚損防止シート２１を頭部に装着し、その後、ヘッドマウントディスプレイ(ＨＭＤ)のクッションパッド４１と使用者の顔部で、眼部外周縁当接部２２を挟み込むような状態で、ヘッドマウントディスプレイ(ＨＭＤ)を頭部に装着する。
【実施例３】
【００２４】
図３に、本発明の実施例３のゴーグル装着部交換シートを示す。実施例３のゴーグル汚損防止シート３１と、実施例１のゴーグル汚損防止シート１１との相違点は、実施例１のゴーグル汚損防止シート１１は、その左右に耳掛部１４を有しているのに対し、実施例３のゴーグル汚損防止シート３１は、眼部外周縁当接部３２の顔面に向かう面の少なくとも一部に使用者の頸部から上の頭部に装着する装着部である粘着部３４を有している点である。この粘着部３４は眼部外周縁当接部３２の顔面に向かう面であればどこに設けてもよく、外周縁当接部３２の顔面に向かう面全体に存在してもよい。粘着部３４以外は、実施例３のゴーグル汚損防止シート３１は、実施例１のゴーグル汚損防止シート１１と同様の構成をしている。なお、ゴーグル汚損防止シート３１をより確実に頭部に装着することを考えるのであれば、使用者の頸部から上の頭部に装着する装着部として、粘着部３４に加えて、実施例１に記載されるような耳掛部１４と実施例２に記載されるようなストラップ２４のいずれか一方又は双方を、ゴーグル汚損防止シート３１に設けてもよい。
【００２５】
実施例１のゴーグル汚損防止シート１１や実施例２のゴーグル汚損防止シート２１では、ヘッドマウントディスプレイ(ＨＭＤ)のクッションパッド４１と使用者の顔部で、眼部外周縁当接部１２，２２を挟み込むような状態で、ヘッドマウントディスプレイ(ＨＭＤ)を頭部に装着したとしても、ヘッドマウントディスプレイ(ＨＭＤ)は軽量ではないこと、また、ヘッドマウントディスプレイ(ＨＭＤ)を装着した頭部を動かすことを考えると、ゴーグル汚損防止シート１１，２１が顔面の上で滑って移動することが起きる。しかしながら、実施例３のようにゴーグル汚損防止シート３１を粘着部３４で顔面に接着した場合には、そのようなことがなく、特にヘッドマウントディスプレイ(ＨＭＤ)を装着した頭部を動かして制御をするようなコンピュータ・アプリケーション、例えば、コンピュータ・ゲームを用いるときに適している。
【００２６】
本発明の実施例３のゴーグル汚損防止シート３１をヘッドマウントディスプレイ(ＨＭＤ)と組み合わせて使用する使用者は、ヘッドマウントディスプレイ(ＨＭＤ)を装着する前に、粘着部３４でゴーグル汚損防止シート３１を顔面に接着し、その後、ヘッドマウントディスプレイ(ＨＭＤ)のクッションパッド４１と使用者の顔部で、眼部外周縁当接部３２を挟み込むような状態で、ヘッドマウントディスプレイ(ＨＭＤ)を頭部に装着する。
【００２７】
以上、本発明の実施形態による、ゴーグル汚損防止シートを幾らかの実施例と共に説明した。上述した実施形態は、本発明の理解を容易にするための例示に過ぎず、本発明を限定して解釈するためのものではない。本発明は、その趣旨を逸脱することなく、変更、改良することができると共に、本発明にはその均等物が含まれることは言うまでもない。
【符号の説明】
【００２８】
１１          実施例１のゴーグル汚損防止シート
１２          眼部外周縁当接部
１３          抜穴部
１４          耳掛部
２１          実施例２のゴーグル汚損防止シート
２２          眼部外周縁当接部
２３          抜穴部
２４          ストラップ
３１          実施例３のゴーグル汚損防止シート
３２          眼部外周縁当接部
３３          抜穴部
３４          粘着部
４１          クッションパッド
４２，４３    ストラップ
５１          従来例のゴーグル装着部交換シート
５２          眼部外周縁当接部
５３          抜穴部
５４          鼻当接部
【要約】
【課題】ヘッドマウントディスプレイ(ＨＭＤ)を清潔に保ちつつ、短時間に多数の者に体験してもらうことが可能なゴーグル汚損防止シートを得る。
【構成】ゴーグル汚損防止シートに、使用者の頸部から上の頭部に装着するための装着部を設け、あらかじめ使用者の頸部から上の頭部に装着したゴーグル汚損防止シートを、ヘッドマウントディスプレイ(ＨＭＤ)と使用者の顔部で挟み込んで使用する。
【選択図】図１【図１】
0005971823.tif 000002
【図２】
0005971823.tif 000003
【図３】
0005971823.tif 000004
【図４】
0005971823.tif 000005
【図５】
0005971823.tif 000006